(57)【要約】      （修正有）【課題】防音機能を有すると共に、快適な住環境を与えることができ、比較的安価な防音ペットハウスを提供する。【解決手段】防音壁によって形成された防音室部と前記防音室部２Ａの開口部に開閉自在に取り付けられた前扉２Ｂとからなるハウス本体２に、防音壁によって形成された吸気部３Ａと排気部３Ｂとからなる通気部３を連設してなり、ハウス本体に吸気部の排出口と排気部の吸出口を連結してなる。前記防音室部の側板６、天板５及び底板８を形成する防音壁は、外側から順にアルミ複合板、ブチルゴムシート、ロックウール（人造鉱物繊維）、ＰＥＴフェルト、さらにパンチングメタルの層を有しており、前扉は、クリアアクリル板の外側に隙間を介して防音用合わせガラスを取り付けることによって形成されており、通気部を形成する防音壁は、ロックウール（人造鉱物繊維）、ＰＥＴフェルト、アルミ複合板の層を有している。【選択図】図１
0003145035.tif 000002
【実用新案登録請求の範囲】
【請求項１】
防音壁によって形成された防音室部と前記防音室部の開口部に開閉自在に取り付けられた前扉とからなるハウス本体に、防音壁によって形成された吸気部と排気部とからなる通気部を連設してなり、ハウス本体に吸気部の排出口と排気部の吸出口を連結してなることを特徴とする防音ペットハウス。
【請求項２】
防音室部の側板、天板及び底板を形成する防音壁は、外側から順にアルミ複合板、ブチルゴムシート、ロックウール（人造鉱物繊維）、ＰＥＴフェルト、さらにパンチングメタルの層を有しており、前扉は、クリアアクリル板の外側に隙間を介して防音用合わせガラスを取り付けることによって形成されており、通気部を形成する防音壁は、ロックウール（人造鉱物繊維）、ＰＥＴフェルト、アルミ複合板の層を有していることを特徴とする請求項１に記載の防音ペットハウス。
【請求項３】
防音室部の側板、天板及び底板を形成する防音壁において、アルミ複合板の肉厚は３ｍｍ、ブチルゴムシートの肉厚は２ｍｍ、ロックウール（人造鉱物繊維）の肉厚は２０ｍｍ、ＰＥＴフェルトの肉厚は５ｍｍ、パンチングメタルの肉厚は３ｍｍとし、前扉のクリアアクリル板は肉厚３ｍｍ、防音用合わせガラスは肉厚３ｍｍの二枚合わせガラスとし、通気部を形成する防音壁は、ＰＥＴフェルトの肉厚を５ｍｍ、ロックウール（人造鉱物繊維）の肉厚を２５ｍｍ、アルミ複合板の肉厚を３ｍｍとすることを特徴とする請求項１または請求項２に記載の防音ペットハウス。
【請求項４】
ブチルゴムシートとロックウール（人造鉱物繊維）の層の間に空気層を設けたことを特徴とする請求項１〜３のいずれか１項に記載の防音ペットハウス。
【請求項５】
通気部を構成する吸気部と排気部は、それぞれ略Ｌ字状のダクトであって上下に向き合って配設されていることを特徴とする請求項１〜４のいずれか１項に記載の防音ペットハウス。
【請求項６】
防音室部の開口縁枠２９には、防音用ゴム枠が配設されていることを特徴とする請求項１〜５のいずれか１項に記載の防音ペットハウス。
【請求項７】
前扉は、防音室部の開口部に蝶番によって開閉自在に取り付けられていることを特徴とする請求項１〜３のいずれか１項に記載の防音ペットハウス。
【考案の詳細な説明】
【技術分野】
【０００１】
この考案は、防音機能を持ったペットハウスに係り、特に、小型犬の鳴き声等の比較的高音に配慮し、小型犬の鳴き声が騒音となるのを防止すると共に、ペットによっても快適な居住空間が提供できる防音ペットハウスに関するものである。
【背景技術】
【０００２】
近年、犬、猫等のペットによる癒し効果があることが知られるようになり、ペットとの共生に対する理解が深まってきている。そのために、犬、猫等のペットを室内で飼うことが多くなり、特にマンション等の集合住宅でもペットの飼育が可能になってきている。
【０００３】
しかしながら、犬、特に小型犬の場合は、良く鳴いたり、吠えたりするが、これらの鳴き声等は、近隣の住人にとっては騒音でしかなく、不快感を生じさせ、迷惑を掛けてしまうおそれがあった。また、小型犬は、飼い主が外出し室内に置き去りにされると、さびしくなって鳴き続ける場合があり、近隣住人に長時間に亘って騒音公害を与えることになり、深刻な問題となる。
【０００４】
そこで、ペットの鳴き声が外に漏れるのを防ぐために、壁面、床面、扉等を防音構造としたペットハウスが提案されている。特許文献１（特開２００３−３１９７２７号公報）には、ハウス本体は防音機能を有する部材で構成されており、前扉の内側に金属製の柵などからなるセーフティゲートが設けられ、ハウス本体内部に対して吸気及び排気を行う強制吸気・排気設備を備えたペットハウスが提案されている。
【０００５】
また、特許文献２（登録実用新案第３０４０５２７号公報）には、防音材で構成したボックスの前面に透明ガラスを嵌め込んだ密閉扉を取り付け、ボックスにはパイプによる吸気孔及び排気ファンを相互に離間させて設けた防音犬小屋が提案されている。
【０００６】
また、特許文献３（登録実用新案第３０４４３５７号公報）には、複数の防音パネルを連結してボックスを形成し、該ボックスの前面側に位置する防音パネルに窓付き扉を設け、側面側の一方に吸気ダクトと排気ダクトを設けた防音犬舎が提案されている。
【特許文献１】特開２００３−３１９７２７号公報
【特許文献２】登録実用新案第３０４０５２７号公報
【特許文献３】登録実用新案第３０４４３５７号公報
【考案の開示】
【考案が解決しようとする課題】
【０００７】
上記公報記載のペットハウスは、ハウス本体を防音機能を持った防音材で構成することにより、防音対策がなされているものの、どの程度の防音効果があるのかは不明である。一般に、壁の重さが重たいほど遮音の効果が高くなり、また、音の大きさを半減させるためには、壁の厚さを４倍にしなければならないといわれている。壁の重さを重くしたり、壁の厚さを厚くすれば、それだけ運搬に不便であり、また費用が嵩み高価になるという問題がある。
【０００８】
また、中に入っているペットにとっては、快適な居住空間が提供されなければなりません。音を通さないことが防音だと考えられるが、単に遮音性を高めると、反射音が響いてしまい、ペットに生理的な苦痛を与えることになる。そこで、防音には遮音性と共に、音を吸収する吸音性も考慮されなければならない。
【０００９】
この考案はかかる現況に鑑みてなされたもので、防音機能、特に小型犬が鳴いたり、吠えたりしたときの鳴き声を近隣の住人に不快感を与えたり迷惑を掛けることがない程度に十分に防音すると共に、快適な住環境を与えることができ、比較的安価な防音ペットハウスを提供せんとするものである。
【課題を解決するための手段】
【００１０】
この考案は上記目的を達成するために次のような構成とした。即ち、この考案に係る防音ペットハウスは、防音壁によって形成された防音室部と前記防音室部の開口部に開閉自在に取り付けられた前扉とからなるハウス本体に、防音壁によって形成された吸気部と排気部とからなる通気部を連設してなり、ハウス本体に吸気部の排出口と排気部の吸出口を連結してなることを特徴とする。前記防音室部の側板、天板及び底板を形成する防音壁は、外側から順にアルミ複合板、ブチルゴムシート、ロックウール（人造鉱物繊維）、ＰＥＴフェルト、さらにパンチングメタルの層を有しており、前扉は、クリアアクリル板の外側に防音用合わせガラスを取り付けることによって形成されており、通気部を形成する防音壁は、ロックウール（人造鉱物繊維）、ＰＥＴフェルト、アルミ複合の層を有している。
【００１１】
そして、前記防音室部の側板、天板及び底板を形成する防音壁の具体的構成は、アルミ複合板の肉厚を３ｍｍ、ブチルゴムシートの肉厚を２ｍｍ、ロックウール（人造鉱物繊維）の肉厚を２０ｍｍ、ＰＥＴフェルトの肉厚を５ｍｍ、パンチングメタルの肉厚を３ｍｍとし、前扉の具体的構成は、クリアアクリル板を肉厚３ｍｍ、防音用合わせガラスを肉厚３ｍｍの二枚合わせガラスとし、通気部を形成する防音壁の具体的構成は、ＰＥＴフェルトの肉厚を５ｍｍ、ロックウール（人造鉱物繊維）の肉厚を２５ｍｍ、アルミ複合板の肉厚を３ｍｍとすることが好ましい。また、ブチルゴムシートとロックウール（人造鉱物繊維）との間に空気層を設けてもよい。前記通気部を構成する吸気部と排気部は、それぞれ略Ｌ字状のダクトであって上下に向き合って配設する構成とすることができる。また、防音室部の開口縁枠には、防音用ゴム枠を配設することが好ましい。前記前扉は、防音室部の開口部に蝶番によって開閉自在に取り付けられており、前記蝶番は、抜き差し可能な蝶番とすることができる。
【考案の効果】
【００１２】
この考案に係る防音ペットハウスは、上記構成とすることによって、小型犬の鳴き声のような高音であってもほぼ半減させることができるから、マンションのような集合住宅においても犬の鳴き声による騒音を防止することができる。また、外出時に犬を連れ出すことができない場合でも近隣の住人に迷惑を掛けることがなく、安心して飼うことができる。また、ハウス本体内は強制換気によって常に快適な状態に維持しておくことができ、ペットにも不快感を与えることがない。
【考案を実施するための最良の形態】
【００１３】
以下に、この考案に係る防音ペットハウスを図示する実施形態について説明する。図１は全体を示す斜視図、図２は一部縦断面図である。防音ペットハウス１は、ハウス本体２と通気部３からなる。
【００１４】
前記ハウス本体２は、天板５、側板６、背板７及び底板８からなるボックス型防音室部２Ａと開口部に取り付けられる前扉２Ｂからなる。ボックス型防音室部２Ａの底板８の下面の四隅近傍には移動を容易にするためにキャスター１０が設けられている。前記天板５、側板６、背板７及び底板８は防音機能を持たせるために複数層によって構成されており、特に、小型犬の鳴き声である高音域を防音することを考慮して構成されている。
【００１５】
さらに詳述すると、図１及び図２に示すように、通気部３は、ハウス本体２内に空気を送り込む吸気部３Ａとハウス本体２内の空気を排出する排気部３Ｂとからなり、ハウス本体２と独立して形成されている。前記通気部３は、ハウス本体２の背面側（前扉の反対側）に一体に配設されており、吸気部３Ａの排出口３ａ及び排気部３Ｂの吸出口３ｂがそれぞれハウス本体２内に連通している。吸気部３Ａ及び排気部３Ｂによってハウス本体２内の空気が循環することになり、常に快適な環境を維持することができる。
【００１６】
次に、ハウス本体２の各構成について詳述する。まず、防音室部２Ａを構成する天板５、側板６及び底板８を形成する防音壁は、第３図に示すように、外側から順に保護層としてのアルミ複合板１２、遮音材としてのブチルゴムシート１３、空気層１４、吸音材としてのロックウール（人造鉱物繊維）１５、吸音材としてのＰＥＴフェルト１６、さらに内層にパンチングメタル１７によって形成されている。前記空気層１４は、防音効果を高める上で有効であるが、適宜省略することも可能である。
【００１７】
前記ブチルゴムシート１３は、吸音材を透過した音を反射させ、さらに吸音材への音の吸収を促す。前記パンチングメタル１７は、音源のエネルギーをロックウール（人造鉱物繊維）１５とＰＥＴフェルト１６に吸収させて室内の音響を小さくすることを促進するとともに、安全性、耐久性を有する。吸音材としては、ロックウール（人造鉱物繊維）１５とＰＥＴフェルト１６のそれぞれ異なる材質のものを組み合わせることによって異なる音質を吸収して音のエネルギーを低下させることができる。
【００１８】
上記構成において、アルミ複合板１２の肉厚は３ｍｍ、ブチルゴムシート１３の肉厚は２ｍｍ、空気層１４の肉厚は５ｍｍ、ロックウール（人造鉱物繊維）１５の肉厚は２０ｍｍ、ＰＥＴフェルト１６の肉厚は５ｍｍ、さらにパンチングメタル１７の肉厚は３ｍｍとすることが好ましい。前記構成とすることによって、高い防音効果を得ることができ、特に小型犬のような高い音の防音に有効である。また、前記構成は遮音性能ばかりでなく、音を吸収する吸音性能のバランスを取ることによって、快適な居住空間を提供することができる。空気層１４を省略した場合にはロックウール（人造鉱物繊維）の肉厚は空気層を含めて２５ｍｍとすることが好ましい。
【００１９】
防音室部２Ａの背板７を形成する防音壁は、上記天板５、側板６及び底板８の構成のうち、外側の保護層としてのアルミ複合板１２を省略した構成によって形成されている。背板７の外面には、吸気部３及び排気部４が接合されるからアルミ複合板１２を省略することが可能である。
【００２０】
上記構成の天板５、側板６、背板７及び底板８は、図２に示すように、アルミ製角パイプ１８によって形成された枠体に取り付けられている。前記アルミ製角パイプ１８は、肉厚が１．５ｍｍで一辺の寸法が３０ｍｍのものを使用することができる。上記構成の天板５、側板６、背板７及び底板８は、前記アルミ製角パイプ１８の側面に突き合わされて密着している。
【００２１】
次いで、上記吸気部３Ａ及び排気部３Ｂからなる通気部３を図２及び図４に基づいて詳細に説明する。吸気部３Ａ及び排気部３Ｂは、略Ｌ字状のダクトであって、図４に示すように上下に向き合って配設されている。吸気部３Ａは上面にアルミ製の吸気ガラリ３ｃを有し、排出口３ａがハウス本体２内に開口している。また、排気部３Ｂは、吸出口３ｂがハウス本体内２に開口しており、下面にアルミ製の排気ガラリ３ｄを有している。排気部３Ｂの吸出口３ｂには、排気ファン４が設けられている。
【００２２】
前記排気ファン４は、排気ガラリ３ｄに隣接して設けてもよい。また、吸気部３Ａには、吸気ファンを排出口３ａに一部を挿入するようにして設けるか、又は吸気ガラリ３ｃに隣接して設けることができる。
【００２３】
前記構成の通気部３によってハウス本体２内の空気は外部の空気と入れ替わることが可能であり、排気ファン又は吸気ファンを設けた場合には、強制的に循環させることによってハウス本体２内の温度を室温と同じに保持することができ、快適な住環境を与えることができる。
【００２４】
尚、上記実施形態では、吸気部３Ａを上段に、排気部３Ｂを下段に向かい合わせて配設したが、上下段を逆にして吸気部３Ａを下段に、排気部３Ｂを上段に配設してもよい。このとき、吸気部３Ａの吸気ガラリは底面に設けられることになり、排気部３Ｂの排気ガラリは上面に設けられることになる。また、図示するのを省略したが、排気部３Ｂには、消音・消臭ボックスを配設することが可能である。
【００２５】
前記通気部３の防音壁の構造について説明すると、図２及び図４に示すように、吸気部３Ａと排気部３Ｂとの突合せ面は、それぞれ吸音材として外面にＰＥＴフェルト２０、内面にロックウール（人造鉱物繊維）２１を重ね合わせることによって形成されているが、吸気部３Ａと排気部３Ｂの外周面には、ＰＥＴフェルト２０の外側に保護層としてのアルミ複合板２２が密着されている。前記ＰＥＴフェルト２０の肉厚を５ｍｍ、ロックウール（人造鉱物繊維）２１の肉厚を２５ｍｍ、アルミ複合板１２の肉厚を３ｍｍとすることができる。
【００２６】
次に、ハウス本体２を構成する前扉２Ｂについて説明する。前扉２Ｂは、アルミ製角パイプ１８で形成された方形状の枠体の内側にクリアアクリル板２４を取り付け、外側に防音用合わせガラス２５を取り付けることによって形成されている。前記クリアアクリル板２４には肉厚３ｍｍのアクリル板、防音用合わせガラス２５には肉厚３ｍｍのガラスを二枚合わせた厚さ６ｍｍの合わせガラスを使用することができる。アルミ製角パイプには、防音室部に用いたものと同様な肉厚が１．５ｍｍで一辺の寸法が３０ｍｍのものを使用することができる。従って、アクリル板２４と防音用合わせガラス２５との間には３０ｍｍの空隙２６が形成されることになる。
【００２７】
このように、前扉２Ｂには、異なる材質のものを組み合わせ、しかも空隙を設けることによって軽量化を図ることができると共に、防音効果を高めることができる。また、全面を透明体とすることによって防音室部２Ａに入っているペットの様子を外から看取することができるばかりでなく、ペットからは外の様子を伺うことができる。
【００２８】
前記構成の前扉２Ｂは、蝶番２７によって防音室部２Ａの開口部に開閉自在に取り付けられている。前記蝶番２７は、抜き差し可能な蝶番とすることができ、必要に応じて防音室部２Ａから着脱することが可能である。防音室部２Ａの開口部に設けられたアルミ製角パイプによる縁枠２９には、防音効果を高めるために防音用ゴム枠３０が配設されている。防音用ゴム枠３０は、縁枠２９の縁に沿って帯状に設けられたマグネットパッキンであることが好ましく、磁性ゴムによって形成される。前記防音用ゴム枠３０によって、密閉性が高められ、防音効果が向上する。
【００２９】
尚、上記実施形態では、図示するのを省略したが、前扉２Ｂには、ロックハンドル又はクレモンハンドル等のハンドルを設けることができる。また、図１に示すように、ハウス本体２の外面縁部には、発泡ゴム等による緩衝材３１を設け、衝撃の緩和を図ることが好ましい。
【００３０】
次に、図５〜図７に示す通気部の他の実施形態について説明する。図５は第２実施形態の正面図であって、通気部３における吸気ガラリ３ｃ’及び排気ガラリ３ｄ’をそれぞれ側面に設けると共に、中央部に空隙部３１を設けて吸気部３Ａ及び排気部３Ｂのダクトを細くした。このように、ダクトを細くすることによって音の漏れを小さくすることができる。尚、前記通気部３の防音壁の構造は、上記第１実施形態と同じであるから、その説明は省略する。
【００３１】
図６は通気部３の第３実施形態の正面図であって、図５におけるダクト内に遮音板３３を交互に向い合わせるようにして突設した実施形態である。前記遮音板３３もロックウールによって形成されている。前記通気路内を流れる空気は、前記遮音板３３にぶつかって音の一部が吸収されると共に、残りは反射波として周壁によって吸収され、このようにして次第に減衰されて排気ガラリ３ｄ’から排出されるときにはほとんど消音状態となる。
【００３２】
図７は、通気部３の第４実施形態の概略を示す説明用斜視図であって、吸気部３Ａ及び排気部３Ｂのダクトに複数の細管３５を束ねた通気管群３６を配設したものである。前記通気管群３６は略フランク形に形成されている。このように、吸気部３Ａ及び排気部３Ｂを通気管群３６によって形成した場合には、防音効果が良好であって、ペットの鳴き声が外部に漏れるのを確実に防止することができる。
【実施例】
【００３３】
上記構成の防音ペットハウスにおいてどれだけ音が小さくなったかを測定した。防音ペットハウスは、防音室部２Ａの高さ寸法５３０ｍｍ、巾寸法５３０ｍｍ、奥行き寸法７２０ｍｍの大きさに形成した。枠体を構成するアルミ製角パイプ１８には、肉厚が１．５ｍｍで一辺の寸法が３０ｍｍのものを使用し、防音室部の壁には、アルミ複合板１２の肉厚は３ｍｍ、ブチルゴムシート１３の肉厚は２ｍｍ、空気層１４の肉厚は５ｍｍ、ロックウール（人造鉱物繊維）１５の肉厚は２５ｍｍ、ＰＥＴフェルト１６の肉厚は５ｍｍ、さらにパンチングメタル１７の肉厚は３ｍｍのものを使用した。
【００３４】
また、通気部には、ＰＥＴフェルト２０の肉厚を５ｍｍ、ロックウール（人造鉱物繊維）２１の肉厚を２５ｍｍ、アルミ複合板１２の肉厚を３ｍｍのものを使用した。さらに、前扉は、クリアアクリル板２４には肉厚３ｍｍのアクリル板、防音用合わせガラス２５には肉厚３ｍｍのガラスを二枚合わせた厚さ６ｍｍの合わせガラスを使用した。
【００３５】
測定方法は、音源を防音室部内に入れて、音源と側板、排気ガラリ、吸気ガラリにおける音の大きさをそれぞれ測定した。測定には、リオン株式会社製の型式ＮＡ−０９の測定器を使用した。音源と比較した場合、それぞれの測定位置における音の大きさはほぼ半減されていることが分かる。表１は側板における測定結果、表２は排気ガラリにおける測定結果、表３は吸気ガラリにおける測定結果である。
【００３６】
【表１】
0003145035.tif 000003
【００３７】
【表２】
0003145035.tif 000004
【００３８】
【表３】
0003145035.tif 000005
【図面の簡単な説明】
【００３９】
【図１】この考案の実施形態の防音ペットハウスを示した説明用斜視図である。
【図２】防音ペットハウスの縦断面図である。
【図３】防音室部２Ａの防音壁の要部断面拡大図である。
【図４】通気部の断面正面図である。
【図５】通気部の第２実施形態の構成を示す説明用断面図である。
【図６】通気部の第３実施形態の構成を示す説明用断面図である。
【図７】通気部の第４実施形態の構成を示す説明用断面図である。
【符号の説明】
【００４０】
１：防音ペットハウス
２：ハウス本体  
２Ａ：防音室部
２Ｂ：前扉
３：通気部
３Ａ：吸気部  
３Ｂ：排気部
３ｃ：吸気ガラリ  
３ｅ：排気ガラリ
５：天板  
６：側板
７：背板  
８：底板
１０：キャスター
１２：アルミ複合板
１３：ブチルゴムシート
１４：空気層
１５：ロックウール（人造鉱物繊維）
１６：ＰＥＴフェルト
１７：パンチングメタル
１８：アルミ製角パイプ
２０：ＰＥＴフェルト
２１：ロックウール（人造鉱物繊維）
２３：枠体  
２４：クリアアクリル版
２５：防音用合わせガラス
２７：蝶番
２９：縁枠  
３０：防音用ゴム枠
【図１】
0003145035.tif 000006
【図２】
0003145035.tif 000007
【図３】
0003145035.tif 000008
【図４】
0003145035.tif 000009
【図５】
0003145035.tif 000010
【図６】
0003145035.tif 000011
【図７】
0003145035.tif 000012